(57)【特許請求の範囲】
【請求項１】
保持台部と、
第一端部及び第二端部を有し、前記第一端部において、長手方向と交差する方向に突出する取付軸を有し、前記第二端部において、前記保持台部に保持される腕部と、
発光素子を有する光源部と、
開口部を有し、前記開口部内に前記光源部が配置され、前記取付軸が配置される軸受部を有する灯具部と、
前記取付軸を前記軸受部に向けて押える押え具と、
前記取付軸と前記軸受部又は前記押え具との間に配置された耐摩耗部材と、を備え、
前記耐摩耗部材は、断面形状がＣ字状のＣ字部と、前記Ｃ字部の中央部に配置された平板状の平板部とを備え、
前記平板部には、貫通孔が形成されている
照明器具。
【請求項２】
前記取付軸及び前記軸受部は、同じ素材で形成されている
請求項１記載の照明器具。
【請求項３】
前記耐摩耗部材は、シート状部材である
請求項１又は２に記載の照明器具。
【請求項４】
前記耐摩耗部材は、結晶性樹脂である
請求項１〜３のいずれか１項に記載の照明器具。
【請求項５】
前記押え具は、前記取付軸とは異なる素材である
請求項１〜４のいずれか１項に記載の照明器具。
【請求項６】
前記押え具は、弾性部材であり、前記灯具部にねじにより固定されている
請求項１〜５のいずれか１項に記載の照明器具。
【請求項７】
前記保持台部内に、前記光源部に電力を供給する電源部をさらに備える
請求項１〜６のいずれか１項に記載の照明器具。
【発明の詳細な説明】
【技術分野】
【０００１】
本発明は、灯具部及び腕部を備える照明器具に関する。
【背景技術】
【０００２】
従来の照明器具、例えばスポットライト用の照明器具は、内部に電源回路を有する電源ボックスと、一端部が電源ボックスに取り付けられた腕部と、腕部の他端部に取り付けられ、かつ、内部に光源を有する灯具部とを備えている（例えば、特許文献１）。
【０００３】
特許文献１に開示された照明器具では、灯具部と腕部との接続部、及び、電源ボックスと腕部との接続部は、それぞれ角度調整自在であり、灯具部からの光の照射方向を自在に変えることができる。
【０００４】
腕部の灯具部側の端部は、互いに逆方向に突出した円柱状の取付軸を有し、Ｔ字状の形状を有する。一方、灯具部には、取付軸が嵌め込まれる軸受部が形成されている。軸受部は円筒形状の凹部を有する。腕部の取付軸は、軸受部に嵌め込まれる。そして、Ｃ字状の板ばねが取付軸の上から覆うように取り付けられる。取付軸は、板ばねの弾性力によって軸受部に対して押圧された状態になる。板ばねには、板ばねの弾性力を調整するためのねじが設けられている。このねじは、照明器具の施工時に施工業者等によって締め具合を調整される。これにより、腕部に対して灯具部の角度を調整するために要するトルクが調整される。以上のように特許文献１に開示された照明器具では、取付軸が軸受部に対して回転することで、腕部に対する灯具部の角度を調整でき、かつ、当該角度を維持できる構成を実現しようとしている。
【先行技術文献】
【特許文献】
【０００５】
【特許文献１】特開２０１４−１４６５０３号公報
【発明の概要】
【発明が解決しようとする課題】
【０００６】
しかしながら、特許文献１に開示された照明器具において、腕部に対する灯具部の角度の調整を繰り返すことによって、取付軸と軸受部との接触部分、及び、取付軸と板ばねとの接触部分において摩耗が生じる。摩耗によって、例えば取付軸の径が縮小すると、板ばねによって取付軸を押える弾性力は、施工時と比較して低下する。したがって、取付軸と、軸受部及び板ばねとの間の摩擦力が低下する。摩擦力が低下すると、重力に起因して灯具部が腕部から垂れ下がる状態（いわゆる、「首垂れ」の状態）、つまり、腕部に対して灯具部を所望の角度に維持できない状態となり得る。
【０００７】
そこで、本発明は、灯具部及び腕部を備える照明器具であって、腕部に対して灯具部を所望の角度に維持できなくなる状態の発生を抑制できる照明器具を提供する。
【課題を解決するための手段】
【０００８】
上記課題を解決するために、本発明に係る照明器具の一態様は、保持台部と、第一端部及び第二端部を有し、前記第一端部において、長手方向と交差する方向に突出する取付軸を有し、前記第二端部において、前記保持台部に保持される腕部と、発光素子を有する光源部と、開口部を有し、前記開口部内に前記光源部が配置され、前記取付軸が配置される軸受部を有する灯具部と、前記取付軸を前記軸受部に向けて押える押え具と、前記取付軸と前記軸受部又は前記押え具との間に配置された耐摩耗部材と、を備える。
【発明の効果】
【０００９】
本発明によれば、灯具部及び腕部を備える照明器具であって、腕部に対して灯具部を所望の角度に維持できなくなる状態の発生を抑制できる照明器具を提供することができる。
【図面の簡単な説明】
【００１０】
【図１】図１は、実施の形態に係る照明器具の外観を示す斜視図である。
【図２】図２は、実施の形態に係る照明器具の一部分の斜視断面図である。
【図３】図３は、実施の形態に係る照明器具の本体、腕部及び押え具の分解斜視図である。
【図４】図４は、実施の形態に係る照明器具の本体、腕部及び押え具の外観を示す斜視図である。
【図５】図５は、実施の形態に係る照明器具の取付軸付近の構成を示す断面図である。
【図６】図６は、比較例に係る照明器具の取付軸付近の構成を示す断面図である。
【図７】図７は、実施の形態の変形例１に係る耐摩耗部材の外観を示す斜視図である。
【図８】図８は、実施の形態の変形例１に係る耐摩耗部材を備える照明器具の取付軸付近の構成を示す斜視図である。
【図９】図９は、実施の形態の変形例２に係る耐摩耗部材の外観を示す斜視図である。
【図１０】図１０は、実施の形態の変形例２に係る耐摩耗部材を備える照明器具の取付軸付近の構成を示す斜視図である。
【発明を実施するための形態】
【００１１】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
［１．全体構成］
まず、実施の形態に係る照明器具の構成について図面を用いて説明する。
【００１４】
図１は、本実施の形態に係る照明器具１の外観を示す斜視図である。
【００１５】
図２は、本実施の形態に係る照明器具１の灯具部５及び腕部７０の斜視断面図である。図２は照明器具の光軸Ｊを通り、ｙｚ平面に平行な断面における照明器具１の斜視断面図を示す。
【００１６】
図３は、本実施の形態に係る照明器具１の本体２０、腕部７０及び押え具８０の分解斜視図である。
【００１７】
図４は、本実施の形態に係る照明器具１の本体２０、腕部７０及び押え具８０の外観を示す斜視図である。なお、図３及び図４においては、腕部７０を光軸Ｊ方向に傾けた状態の図が示されている。
【００１８】
なお、各図において、照明器具１の光軸Ｊに平行な方向をｚ軸方向、光軸Ｊに垂直で互いに直交する２つの方向をｘ軸方向及びｙ軸方向としている。本実施の形態において、ｙ軸方向は、鉛直方向である。また、本実施の形態において、ｚ軸方向正側を前方、ｚ軸方向負側を後方とする。
【００１９】
図１に示されるように、照明器具１は、スポットライトであり、腕部７０、灯具部５及び保持台部９０を備える。また、図２に示されるように、照明器具１は、光源部３０及び押え具８０をさらに備える。また、図３及び図４に示されるように、照明器具１は、耐摩耗部材２５ａ及び２５ｂをさらに備える。
【００２０】
灯具部５は、図２に示されるように、開口部１２０を有し、開口部１２０内に光源部３０が配置される器具である。図２に示されるように、灯具部５は、セード１０、本体２０、反射部材４０、光学部材５０及び光制御部材６０を備える。灯具部５の本体２０は、図３に示されるように、腕部７０の取付軸７８ａ及び７８ｂがそれぞれ配置される軸受部２４２ａ及び２４２ｂを有する。
【００２１】
以下、照明器具１の各構成要素について説明する。
【００２２】
［１−１．腕部］
腕部７０は、第一端部７３及び第二端部７４を有し、第一端部７３において、長手方向と交差する方向に突出する取付軸７８ａ及び７８ｂを有し、第二端部７４において、保持台部９０に保持される部材である。本実施の形態では、図３に示されるように、腕部７０は、第一端部７３及び第二端部７４に加えて腕部本体７２を有する。本実施の形態では、腕部７０は、第一端部７３において、光軸Ｊ及び腕部７０の長手方向に略垂直な方向に延びる円柱状の取付軸７８ａ及び７８ｂを備える。腕部７０の取付軸７８ａ及び７８ｂが、それぞれ押え具８０と本体２０の軸受部２４２ａ及び２４２ｂとで挟まれることによって、腕部７０は本体２０に回転自在に取り付けられる。
【００２３】
腕部７０の第二端部７４は、腕部７０の長手方向を回転の軸として回転自在に保持台部９０に保持される。なお、当該回転の軸は、腕部７０の長手方向に限定されない。
【００２４】
図２に示されるように、腕部７０の内部には、腕部７０の長手方向に挿通孔７６が形成されている。挿通孔７６には、リード線９２が挿入され、リード線９２によって保持台部９０から光源部３０に電力が供給される。このように、リード線９２が外部に露出しないため、リード線９２が損傷することが抑制される。また、照明器具１の外部からリード線９２が見えないため、デザイン的にも好ましい。
【００２５】
腕部７０を形成する素材は、特に限定されないが、例えば、アルミニウム合金などの金属材料で形成される。本実施の形態では、腕部７０は、例えばアルミダイカスト工程を経て形成される。
【００２６】
［１−２．セード］
セード１０は、光源部３０が内部に配置され、光源部３０からの光を外部に出射する筒状部材である。セード１０は、図２に示されるように、側方開口部１３０を備える。側方開口部１３０は、セード１０の側面に設けられたスリット状の開口部であり、腕部７０が配置される。
【００２７】
図２に示されるように、セード１０の内部には、光源部３０に加えて、本体２０、反射部材４０、光学部材５０、光制御部材６０などが配置される。
【００２８】
セード１０を形成する素材は、特に限定されないが、例えば、アルミニウム合金などの金属材料で形成される。本実施の形態では、セード１０は、アルミニウム合金を用いてアルミダイカスト工程を経て形成される。
【００２９】
［１−３．本体］
本体２０は、図２に示されるように、セード１０の内部に配置され、光源部３０及び腕部７０が取り付けられる部材である。本体２０は、光源部３０から発生した熱を放熱するヒートシンクとしても機能する。
【００３０】
図２に示されるように、本体２０は、前方側（ｚ軸方向正側）に、取付部２１０、挿通孔２１２及び鍔部２３０を備える。取付部２１０は、光源部３０が取り付けられる部分である。取付部２１０は、光源部３０を取り付けるための平坦な面を含む。これにより、光源部３０から発生する熱が効率よく本体２０に伝導される。挿通孔２１２には、光源部３０に電力を供給するためのリード線９２が挿通される。挿通孔２１２の内径は、リード線９２の外径と略同じである。これにより、挿通孔２１２から、本体２０の後方（ｚ軸方向負側）に光が漏れることが抑制される。
【００３１】
鍔部２３０は、本体２０をセード１０に取り付けるための部分である。鍔部２３０には、図３に示されるように、凹部２３２が設けられている。凹部２３２を介して、ねじ（不図示）がセード１０の内面に設けられたねじ穴（不図示）に捻じ込まれることによって、本体２０がセード１０に取り付けられる。
【００３２】
図３に示されるように、本体２０は、後方側に、放熱部２４０を備える。放熱部２４０は、光源部３０から発生した熱を放熱するための部分である。放熱部２４０は、軸受部２４２ａ及び２４２ｂ、台状部２５６ａ及び２５６ｂ、並びに、ねじ穴２５２、２５４ａ及び２５４ｂを備える。軸受部２４２ａ及び２４２ｂは、それぞれ腕部７０の取付軸７８ａ及び７８ｂを支持する部分である。本実施の形態では、軸受部２４２ａ及び２４２ｂの横断面の形状は、半円筒形状であり、腕部７０の取付軸７８ａ及び７８ｂの形状に対応している。
【００３３】
また、図２に示されるように、本体２０は、挿通路２４６を備える。挿通路２４６は、本体２０を貫通し、リード線９２が挿通される部分である。本実施の形態では、挿通路２４６は、軸受部２４２ａ及び２４２ｂから見て光源部３０の光軸Ｊに略垂直な方向（図のｙ軸方向）に形成された貫通孔である。挿通路２４６は、軸受部２４２ａ及び２４２ｂから光軸Ｊに略垂直な方向に延びており、本体２０のｙ軸方向負側において、光軸Ｊ方向に挿通路２４６の内径が徐々に拡大されている。挿通路２４６の腕部７０側の開口部２４４は、腕部７０の第一端部７３と対向する位置に配置される。
【００３４】
本体２０を形成する素材は、特に限定されないが、例えば、アルミニウム合金などの金属材料で形成される。本実施の形態では、本体２０は、アルミニウム合金を用いてアルミダイカスト工程を経て形成される。
【００３５】
［１−４．光源部］
光源部３０は、発光素子を有し、照明器具１の出射光となる光を出射する光源部である。本実施の形態では、光源部３０は、発光素子としてＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。光源部３０は、例えば白色光を出射するように構成されている。光源部３０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数のＬＥＤと、それらＬＥＤを封止し、蛍光体を含む封止部材とを備える。
【００３６】
光源部３０は、本体２０の取付部２１０に取り付けられる。各図に示される照明器具１において、光源部３０の光軸Ｊは各図のｚ軸方向である。
【００３７】
光源部３０を構成する基台は、複数のＬＥＤを実装するための実装基板であって、例えばセラミックス基板、樹脂基板又は絶縁被覆されたメタルベース基板などである。また、基台は、例えば平面視において矩形である平面を有する板状であり、基台の底面（ｚ軸方向負側）が本体２０の取付部２１０に取り付けられて固定される。なお、図示しないが、基台には、ＬＥＤを発光させるための直流電力を外部から受電するための一対の電極端子（正電極端子及び負電極端子）が形成されている。
【００３８】
［１−５．反射部材］
反射部材４０は、光源部３０からの光の配光を制御する部材である。本実施の形態では、反射部材４０は、光源部３０からの光を光学部材５０に向けて反射させる。反射部材４０は、光軸Ｊが貫通する開口が形成された筒状の形状を有する。
【００３９】
反射部材４０の内径は、図２に示されるように、光源部３０からの光が入射される側（ｚ軸方向負側）の端部から、当該光が出射される側の端部に向かって漸次大きくなるように構成されている。反射部材４０の内面において、光源部３０からの光が反射される。
【００４０】
反射部材４０は、例えばポリブチレンテレフタレート（ＰＢＴ）など硬質の白色樹脂材料を用いて形成することができる。なお、反射部材４０の内面にアルミニウムなどの金属膜が設けられてもよい。
【００４１】
［１−６．光学部材］
光学部材５０は、反射部材４０からの光が入射される光入射面、及び、光入射面に入射した光が出射される光出射面を備える透光性の部材である。光学部材５０は、反射部材４０から入射された光の配光を制御して出射する機能を有してもよい。本実施の形態では、光学部材５０はフレネルレンズである。これにより、照明器具１は、出射光を集光して、スポット状の照明領域を形成することができる。
【００４２】
光学部材５０は、透光性材料を用いて形成されており、例えばアクリル、ポリカーボネート（ＰＣ）などの透明樹脂材料、又は、ガラス材料などの透明材料を用いて形成することができる。
【００４３】
［１−７．光制御部材］
光制御部材６０は、図２に示されるようにセード１０の内部であって、光学部材５０の光出射面側に配置された筒状の部材である。
【００４４】
光制御部材６０は、光軸Ｊの周囲に配置される。また、図２に示されるように、光制御部材６０の外径は、セード１０の開口部１２０側の内径と略等しい。これにより、セード１０の開口部１２０の出射光通過領域が光制御部材６０によって削減されることを抑制できる。また、セード１０と光制御部材６０との間からの出射光の漏れを抑制できる。
【００４５】
光制御部材６０は、セード１０の内面のうち、光学部材５０の光出射面近傍から、セード１０のｚ軸方向正側端部近傍まで部分を覆う。ここで、光制御部材６０の内面（光軸Ｊ側の面）は、黒色のグレア抑制面である。このように、セード１０の開口部１２０のｚ軸方向正側端部近傍は、黒色のグレア抑制面である光制御部材６０の内面で覆われる。これにより、セード１０の開口部正側端部近傍におけるグレアが抑制される。
【００４６】
光制御部材６０の内面は、黒色のグレア抑制面であれば、特に限定されない。黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、光制御部材６０の内面におけるグレアをさらに抑制するために、光制御部材６０の内面に段差部を設けてもよい。
【００４７】
光制御部材６０は、例えば、ＰＢＴ、ＰＣなどの樹脂材料を用いて形成することができる。
【００４８】
［１−８．押え具］
押え具８０は、腕部７０の取付軸７８ａ及び７８ｂを、それぞれ本体２０の軸受部２４２ａ及び２４２ｂに向けて押える部材である。本実施の形態では、押え具８０は、取付軸７８ａ及び７８ｂをそれぞれ軸受部２４２ａ及び２４２ｂに対して回転自在に取り付けるための弾性部材である。押え具８０は、図３に示されるように略Ｃ字型の形状を有する板ばねであり、軸受部２４２ａ及び２４２ｂとともに、腕部７０の取付軸７８ａ及び７８ｂを挟んだ状態で、ねじ８６ａ、８６ｂ及び８８によって本体２０に固定される。これにより、腕部７０が本体２０に取り付けられる。より具体的には、ねじ８６ａ、８６ｂ及び８８は、それぞれ押え具８０の貫通孔８４ａ、８４ｂ及び８２を介して、本体２０のねじ穴２５４ａ、２５４ｂ及び２５２に捻じ込まれる。なお、ねじ８８と押え具８０との間に、ばね座金が配置されてもよい。これにより、ねじ８８が緩むことが抑制される。
【００４９】
腕部７０の取付軸７８ａ及び７８ｂは、押え具８０と本体２０とで挟まれた状態であるため、腕部７０は、取付軸７８ａ及び７８ｂを中心として本体２０に対して回転自在である。
【００５０】
また、上述のように押え具８０が弾性部材であり、灯具部５にねじ８６ａ、８６ｂ及び８８により固定されている場合、腕部７０に対して灯具部５を回転させるために要するトルクは、ねじ８８の捻じ込み量の調整により調整可能である。本実施の形態では、後述するように、腕部７０に対して灯具部５を所望の角度に維持できなくなる現象が抑制されるため、施工時にねじ８８の捻じ込み量が適切に調整されれば、施工後にねじ８８の捻じ込み量を再度調整する必要性は低減される。したがって、ねじ８８は、照明器具１を組み立てた状態で、セード１０の側方開口部１３０からドライバーによって調整できる位置に配置されなくてもよい。これにより、セード１０の側方開口部１３０の形状などにおける自由度が向上する。
【００５１】
押え具８０を形成する素材は、特に限定されない。本実施の形態では、押え具８０は、ステンレスで形成される。
【００５２】
［１−９．耐摩耗部材］
耐摩耗部材２５ａ及び２５ｂは、取付軸７８ａ及び７８ｂと、軸受部２４２ａ及び２４２ｂ、又は、押え具８０との間に配置され、取付軸７８ａ及び７８ｂ、軸受部２４２ａ及び２４２ｂ、並びに、押え具８０部材の少なくとも一つの摩耗を抑制する部材である。本実施の形態では、耐摩耗部材２５ａ及び２５ｂは、円筒状の形状を有するシート状の部材である。この構成においては、所望の厚さを有する耐摩耗部材２５ａ及び２５ｂを容易に製造することができる。つまり、耐摩耗部材２５ａ及び２５ｂの厚さの管理が容易である。
【００５３】
耐摩耗部材２５ａ及び２５ｂの内径は、それぞれ、取付軸７８ａ及び７８ｂの外径と略等しく、取付軸７８ａ及び７８ｂの各外周に耐摩耗部材２５ａ及び２５ｂが装着される。つまり、耐摩耗部材２５ａ及び２５ｂの各内部に取付軸７８ａ及び７８ｂが挿入される。図４に示されるように、取付軸７８ａ及び７８ｂは、それぞれ耐摩耗部材２５ａ及び２５ｂが装着された状態で、軸受部２４２ａ及び２４２ｂに配置され、押え具８０によって軸受部２４２ａ及び２４２ｂに向けて押えられる。つまり、取付軸７８ａ及び７８ｂは、それぞれ耐摩耗部材２５ａ及び２５ｂが装着された状態で、軸受部２４２ａ及び２４２ｂと押え具８０とによって挟まれる。
【００５４】
これにより、取付軸７８ａ及び７８ｂ、軸受部２４２ａ及び２４２ｂ、並びに、押え具８０部材の少なくとも一つの摩耗が抑制される。したがって、押え具８０によって取付軸７８ａ及び７８ｂを押える弾性力の低下が抑制されるため、取付軸７８ａ及び７８ｂと軸受部２４２ａ及び２４２ｂ並びに押え具８０との間の摩擦力の低下を抑制できる。
【００５５】
耐摩耗部材２５ａ及び２５ｂを形成する素材は、取付軸７８ａ及び７８ｂ、軸受部２４２ａ及び２４２ｂ、並びに、押え具８０部材の少なくとも一つの摩耗を抑制できる素材であれば、特に限定されない。耐摩耗部材２５ａ及び２５ｂを形成する素材としては、例えば、取付軸７８ａ及び７８ｂ、軸受部２４２ａ及び２４２ｂ、並びに、押え具８０部材の少なくとも一つとの間の摩擦係数が小さい素材を用いることができる。取付軸７８ａ及び７８ｂ、軸受部２４２ａ及び２４２ｂ並びに押え具８０がいずれも金属材料で形成される場合には、耐摩耗部材２５ａ及び２５ｂを形成する素材として、例えば、ナイロンなどの結晶性樹脂を用いることができる。これにより、取付軸７８ａ及び７８ｂ、軸受部２４２ａ及び２４２ｂ、並びに、押え具８０部材の少なくとも一つの摩耗を確実に抑制できる。
【００５６】
［１−１０．保持台部］
保持台部９０は、腕部７０を保持する部材である。本実施の形態では、保持台部９０は、腕部７０を回転自在に保持する。また、本実施の形態では、保持台部９０は、光源部３０に電力を供給する電源部（不図示）を備える。これにより、灯具部５及び腕部７０と電源部とを一体化することができる。保持台部９０に内蔵された電源部は、保持台部９０の外部から供給された交流電力を直流電力に変換し、当該直流電力を、リード線９２を介して光源部３０に供給する。
【００５７】
保持台部９０の外壁部分は、金属材料、樹脂材料などから形成される。本実施の形態では、例えば、当該外壁部分は、アルミニウムで形成される。
【００５８】
［２．摩耗抑制構成］
次に、本実施の形態に係る照明器具１における取付軸７８ａ及び７８ｂ、軸受部２４２ａ及び２４２ｂ、並びに、押え具８０の摩耗を抑制する構成について図面を用いて詳細に説明する。
【００５９】
図５は、本実施の形態に係る照明器具１の取付軸７８ａ付近の構成を示す断面図である。図５においては、図４に示されるＶ−Ｖ断面の一部が示されている。
【００６０】
図５に示されるように、本実施の形態に係る照明器具１では、取付軸７８ａと、押え具８０及び軸受部２４２ａとの間に耐摩耗部材２５ａが配置されている。これにより、取付軸７８ａと、押え具８０又は軸受部２４２ａとが直接接することが抑制される。また、取付軸７８ａと耐摩耗部材２５ａとが擦れ合うことによって生じる摩耗は、例えば、取付軸７８ａと軸受部２４２ａとが擦れ合うことによって生じる摩耗に比べて十分小さい。同様に、軸受部２４２ａ及び押え具８０と耐摩耗部材２５ａとが擦れ合うことによって生じる摩耗も十分小さい。このため、照明器具１では、灯具部５の腕部７０に対する角度調整を繰り返すことに伴う、取付軸７８ａ、押え具８０及び軸受部２４２ａの摩耗を抑制することができる。なお、以上では、取付軸７８ａ及び軸受部２４２ａについて説明したが、取付軸７８ｂ及び軸受部２４２ｂについても同様である。
【００６１】
ここで、本実施の形態に係る照明器具１の効果について説明するために、比較例に係る照明器具について図面を用いて説明する。比較例に係る照明器具は、耐摩耗部材２５ａ及び２５ｂを備えない点において、照明器具１と相違し、その他の点において照明器具１と一致する。
【００６２】
図６は、比較例に係る照明器具１０２の取付軸７８ａ付近の構成を示す断面図である。図６においては、照明器具１０２における図５と同様の断面の一部が示されている。
【００６３】
図６に示されるように、比較例に係る照明器具１０２においては、取付軸７８ａと軸受部２４２ａ及び押え具８０とが直接接する。このため、灯具部５の腕部７０に対する角度の調整を繰り返すことにより、取付軸７８ａ、軸受部２４２ａ及び押え具８０の少なくとも一つが摩耗する。当該摩耗によって、例えば取付軸７８ａの径が縮小するため、押え具８０によって取付軸７８ａを押える弾性力は、施工時と比較して低下する。したがって、取付軸７８ａと、軸受部２４２ａ及び押え具８０との間の摩擦力が低下する。当該摩擦力が低下すると、重力に起因して灯具部が腕部から垂れ下がる状態、つまり、腕部に対して灯具部を所望の角度に維持できない状態となり得る。
【００６４】
また、本実施の形態に係る照明器具１のように取付軸７８ａ及び軸受部２４２ａが同一の素材（アルミニウム合金）で形成されている場合（つまり、いわゆる「ともがね」の組み合わせの場合）、原子間力の作用により、これらが擦れ合うことにより生じる摩耗が特に大きい。したがって、本実施の形態に係る照明器具１のように、耐摩耗部材２５ａを配置することによって奏される摩耗抑制効果が特に顕著となる。
【００６５】
また、本実施の形態では、押え具８０は、取付軸７８ａ及び７８ｂとは異なる素材である。具体的には、押え具８０は、ステンレスで形成されており、取付軸７８ａ及び７８ｂは、アルミニウム合金で形成されている。この場合、上記「ともがね」の組み合わせではないため、押え具８０と取付軸７８ａ及び７８ｂとが擦れ合う場合においても、摩耗を比較的抑制できる。
【００６６】
［３．まとめ］
以上のように、本実施の形態に係る照明器具１は、保持台部９０と、第一端部７３及び第二端部７４を有し、第一端部７３において、長手方向と交差する方向に突出する取付軸７８ａ及び７８ｂを有し、第二端部７４において、保持台部９０に保持される腕部７０とを備える。照明器具１は、発光素子を有する光源部３０と、開口部１２０を有し、開口部１２０内に光源部３０が配置され、取付軸７８ａ及び７８ｂがそれぞれ配置される軸受部２４２ａ及び２４２ｂを有する灯具部５とをさらに備える。照明器具１は、取付軸７８ａ及び７８ｂを軸受部２４２ａ及び２４２ｂに向けて押える押え具８０と、取付軸７８ａ及び７８ｂと軸受部２４２ａ及び２４２ｂ、又は、押え具８０との間に配置された耐摩耗部材２５ａ及び２５ｂとをさらに備える。
【００６７】
これにより、取付軸７８ａ及び７８ｂと、押え具８０とが直接接することが抑制される。また、取付軸７８ａ及び７８ｂと、軸受部２４２ａ及び２４２ｂとがそれぞれ直接接することが抑制される。さらに、取付軸７８ａ及び７８ｂと耐摩耗部材２５ａ及び２５ｂとが擦れ合うことによって生じる摩耗は、例えば、取付軸７８ａ及び７８ｂと軸受部２４２ａ及び２４２ｂとが擦れ合うことによって生じる摩耗に比べて十分小さい。同様に、軸受部２４２ａ及び２４２ｂ並びに押え具８０と耐摩耗部材２５ａ及び２５ｂとが擦れ合うことによって生じる摩耗も十分小さい。このため、照明器具１では、灯具部５の腕部７０に対する角度調整を繰り返すことに伴う、取付軸７８ａ及び７８ｂ、押え具８０並びに軸受部２４２ａ及び２４２ｂの摩耗を抑制することができる。したがって、腕部７０に対して灯具部５を所望の角度に維持できなくなる現象の発生を抑制できる。このため、腕部７０に対して灯具部５を回転させるためのトルクと調整するためのねじ８８を施工後に調整する必要性が低減される。よって、ねじ８８を照明器具１の外部から調整できる構成としなくてもよい。これにより、照明器具１のセード１０の側方開口部１３０の形状などにおける自由度が向上する。
【００６８】
また、本実施の形態に係る照明器具１において、取付軸７８ａ及び７８ｂ、並びに、軸受部２４２ａ及び２４２ｂは、同じ素材で形成されているでもよい。
【００６９】
この場合、取付軸７８ａ及び７８ｂと軸受部２４２ａ及び２４２ｂとがそれぞれ、いわゆる「ともがね」の組み合わせとなるため、耐摩耗部材２５ａ及び２５ｂに起因する摩耗抑制効果が特に顕著となる。
【００７０】
また、本実施の形態に係る照明器具１において、耐摩耗部材２５ａ及び２５ｂは、シート状部材であってもよい。
【００７１】
この構成においては、所望の厚さを有する耐摩耗部材２５ａ及び２５ｂを容易に製造することができる。つまり、耐摩耗部材２５ａ及び２５ｂの厚さの管理が容易である。
【００７２】
また、本実施の形態に係る照明器具１において、耐摩耗部材２５ａ及び２５ｂは、結晶性樹脂であってもよい。
【００７３】
これにより、取付軸７８ａ及び７８ｂ、軸受部２４２ａ及び２４２ｂ、並びに、押え具８０部材の少なくとも一つの摩耗を確実に抑制できる。
【００７４】
また、本実施の形態に係る照明器具１において、押え具８０は、取付軸７８ａ及び７８ｂとは異なる素材であってもよい。
【００７５】
この場合、押え具８０と取付軸７８ａ及び７８ｂとの間がいわゆる「ともがね」の組み合わせでないため、押え具８０と取付軸７８ａ及び７８ｂとが擦れ合う場合においても、摩耗を比較的抑制できる。
【００７６】
また、本実施の形態に係る照明器具１において、押え具８０は、弾性部材であり、灯具部５にねじ８８により固定されていてもよい。
【００７７】
これにより、腕部７０に対して灯具部５を回転させるために要するトルクは、ねじ８８の捻じ込み量の調整により調整可能である。
【００７８】
また、本実施の形態に係る照明器具１において、保持台部９０内に、光源部５０に電力を供給する電源部６０をさらに備えてもよい。
【００７９】
これにより、灯具部５及び腕部７０と電源部とを一体化することができる。
【００８０】
（変形例など）
以上、本発明に係る照明器具１について、実施の形態に基づいて説明したが、本発明は、これらの実施の形態に限定されるものではない。
【００８１】
例えば、耐摩耗部材の形状は、円筒状に限定されない。以下、耐摩耗部材の形状の変形例について図面を用いて説明する。
【００８２】
まず、実施の形態の変形例１に係る耐摩耗部材及びそれを備える照明器具について説明する。
【００８３】
図７は、本変形例に係る耐摩耗部材２５ｃの外観を示す斜視図である。
【００８４】
図８は、本変形例に係る耐摩耗部材２５ｃを備える照明器具１ａの取付軸７８ａ付近の構成を示す斜視図である。なお、図８においては、耐摩耗部材２５ｃの配置を分かり易く示すために、セード１０及び押え具８０を取り除いた状態の照明器具１ａの外観が示されている。本変形例に係る照明器具１ａは、実施の形態に係る照明器具１の耐摩耗部材２５ａ及び２５ｂに代えて、耐摩耗部材２５ｃを備える点において、照明器具１と相違し、その他の点において一致する。
【００８５】
図７に示されるように、本変形例に係る耐摩耗部材２５ｃは、半円筒形状の半円筒部１２５と、半円筒部１２５の端部に配置された平板状の平板部１２６とを備える。本変形例に係る耐摩耗部材２５ｃは、図８に示されるように、取付軸７８ａと軸受部２４２ａとの間に配置され、取付軸７８ａと押え具８０との間には配置されない。このような構成においても、照明器具１ａにおいて、灯具部５の腕部７０に対する角度調整を繰り返すことに伴う、取付軸７８ａ及び軸受部２４２ａの摩耗を抑制できる。したがって、腕部７０に対して灯具部５を所望の角度に維持できなくなる現象の発生を抑制できる。
【００８６】
また、本変形例においては、耐摩耗部材２５ｃの平板部１２６が、台状部２５６ａと押え具８０（図８では不図示）とによって挟持される。これにより、腕部７０に対して灯具部５の角度を調整する際に、耐摩耗部材２５ｃの位置が移動することを抑制できる。したがって、耐摩耗部材２５ｃによって、取付軸７８ａ及び軸受部２４２ａの摩耗を確実に抑制できる。
【００８７】
なお、以上では、取付軸７８ａ及び軸受部２４２ａについて説明したが、取付軸７８ｂ及び軸受部２４２ｂについても同様である。
【００８８】
続いて、実施の形態の変形例２に係る耐摩耗部材及びそれを備える照明器具について説明する。
【００８９】
図９は、本変形例に係る耐摩耗部材２５ｄの外観を示す斜視図である。
【００９０】
図１０は、本変形例に係る耐摩耗部材２５ｄを備える照明器具１ｂの取付軸７８ａ付近の構成を示す斜視図である。なお、図１０においては、図８と同様に、セード１０及び押え具８０を取り除いた状態の照明器具１ｂの外観が示されている。本変形例に係る照明器具１ｂは、実施の形態に係る照明器具１の耐摩耗部材２５ａ及び２５ｂに代えて、耐摩耗部材２５ｄを備える点において、照明器具１と相違し、その他の点において一致する。
【００９１】
図９に示されるように、本変形例に係る耐摩耗部材２５ｄは、断面が略Ｃ字型のＣ字部１２７と、Ｃ字部１２７の中央部に配置された平板状の平板部１２８とを備える。また、平板部１２８には、ねじ８６ａを挿入するための貫通孔１２９が形成されている。本変形例に係る耐摩耗部材２５ｄは、図１０に示されるように、取付軸７８ａと軸受部２４２ａとの間、及び、取付軸７８ａと押え具８０（図１０では不図示）との間に配置される。このような構成により、照明器具１ｂにおいて、灯具部５の腕部７０に対する角度調整を繰り返すことに伴う、取付軸７８ａ、軸受部２４２ａ及び押え具８０の摩耗を抑制できる。したがって、腕部７０に対して灯具部５を所望の角度に維持できなくなる現象の発生を抑制できる。
【００９２】
また、本変形例においては、耐摩耗部材２５ｃの平板部１２８が、台状部２５６ａと押え具８０とによって挟持される。さらに、ねじ８６ａは、耐摩耗部材２５ｄの貫通孔１２９に貫通した状態で固定される。これにより、腕部７０に対して灯具部５の角度を調整する際に、耐摩耗部材２５ｄの位置が移動することを確実に抑制できる。したがって、耐摩耗部材２５ｄによって、取付軸７８ａ、軸受部２４２ａ及び押え具８０の摩耗を確実に抑制できる。
【００９３】
なお、以上では、取付軸７８ａ及び軸受部２４２ａについて説明したが、取付軸７８ｂ及び軸受部２４２ｂについても同様である。
【００９４】
また、以上では、耐摩耗部材が、シート状の形状を有する構成について説明したが、耐摩耗部材は、取付軸７８ａ及び７８ｂ、軸受部２４２ａ及び２４２ｂ、並びに、押え具８０の少なくとも一つの表面を覆っていてもよい。
【００９５】
この構成においては、例えば、耐摩耗樹脂などを塗布することにより、容易に耐摩耗部材を形成することができる。
【００９６】
また、上記実施の形態及び各変形例では、取付軸７８ａ及び７８ｂ、並びに、軸受部２４２ａ及び２４２ｂをアルミニウム合金で形成し、押え具８０をステンレスで形成する例を示したが、それらを形成する素材は、特に限定されない。取付軸７８ａ及び７８ｂ、軸受部２４２ａ及び２４２ｂ、並びに、押え具８０の各々を形成する素材に応じて、耐摩耗部材２５ａ及び２５ｂを形成する素材を適宜選択することができる。
【００９７】
また、上記実施の形態及び各変形例では、押え具８０をねじ８６ａ、８６ｂ及び８８で固定したが、押え具８０は、ねじ以外の部材で固定されてもよい。耐摩耗部材を用いることに伴い、施工後における押え具８０の再調整（つまり、ねじ８８の増し締め）の必要性が低減するため、例えば、リベットなどのねじ以外の部材で、押え具８０を固定してもよい。
【００９８】
また、上記実施の形態では、光学部材５０は、フレネルレンズであったが、光学部材５０はこれに限定されない。光学部材５０は、例えば、ハイブリッドレンズ、ドーム型レンズなどでもよい。
【００９９】
また、上記実施の形態においては、光源部３０において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【０１００】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１０１】
１、１ａ、１ｂ  照明器具
５  灯具部
２５ａ、２５ｂ、２５ｃ、２５ｄ  耐摩耗部材
３０  光源部
７０  腕部
７３  第一端部
７４  第二端部
７８ａ、７８ｂ  取付軸
８０  押え具
８６ａ、８６ｂ、８８  ねじ
９０  保持台部
１２０  開口部
２４２ａ、２４２ｂ  軸受部
【図１】
0006692066.tif 000002
【図２】
0006692066.tif 000003
【図３】
0006692066.tif 000004
【図４】
0006692066.tif 000005
【図５】
0006692066.tif 000006
【図６】
0006692066.tif 000007
【図７】
0006692066.tif 000008
【図８】
0006692066.tif 000009
【図９】
0006692066.tif 000010
【図１０】
0006692066.tif 000011